(57)【要約】【課題】シースの先端内に複数のクリップを整然かつ簡潔に配置することができて、連続的なクリッピング処置を円滑な動作で行うことができる内視鏡用クリップ装置を提供すること。【解決手段】各クリップ３を開閉方向に向かい合わせに配置された一対の板バネ片３０により形成して、各板バネ片３０の後端部には外方に向けて折れ曲がった連結爪３４を形成すると共に、各板バネ片３０の先端近傍部分には、クリップ３が窄まった状態のときその前側に隣接して位置するクリップ３の連結爪３４が差し込まれる状態に係止されてクリップ３が広がると連結爪３４に対する係合が外れる係合孔３７を形成し、複数のクリップ３を連結爪３４と係合孔３７とにより直接連結した。【選択図】      図１
2006087537.tif 000002
【特許請求の範囲】
【請求項１】
内視鏡の処置具挿通チャンネルに挿脱されるシースの先端内に複数のクリップが各々窄まった状態で直列に配置され、上記シース内に軸線方向に進退自在に配置された操作ワイヤにより上記複数のクリップを上記シースの先端から順次押し出して、上記各クリップを一旦開いた後に閉じることができるように構成された内視鏡用クリップ装置において、
上記各クリップを開閉方向に向かい合わせに配置された一対の板バネ片により形成して、上記各板バネ片の後端部には外方に向けて折れ曲がった連結爪を形成すると共に、上記各板バネ片の先端近傍部分には、上記クリップが窄まった状態のときその前側に隣接して位置するクリップの連結爪が差し込まれる状態に係止されて上記クリップが広がると上記連結爪に対する係合が外れる係合孔を形成し、上記複数のクリップを上記連結爪と上記係合孔とにより直接連結したことを特徴とする内視鏡用クリップ装置。
【請求項２】
上記連結爪が、上記シースの先端内において上記係合孔を突き抜けない長さに形成されている請求項１記載の内視鏡用クリップ装置。
【請求項３】
上記各板バネ片の最先端部分には内方に向けて折り曲げられたクリップ爪が形成されていて、上記クリップ爪には、そのクリップが上記シース内で窄まっている状態のときにその前側に隣接して位置するクリップとの干渉を避けるための切り欠きが形成されている請求項１又は２記載の内視鏡用クリップ装置。
【請求項４】
上記クリップが閉じた状態のときに上記一対の板バネ片の最先端部分に形成されているクリップ爪どうしがぶつかり合わないように、上記一対の板バネ片のクリップ爪の折り曲げ位置に差が設けられている請求項３記載の内視鏡用クリップ装置。
【請求項５】
上記各板バネ片は、後寄りの部分が上記シースの軸線と平行に向き、中間部分は無負荷状態において前方に向かって開いた状態になり、先寄りの部分は無負荷状態において上記中間部分よりさらに大きな角度で開いた状態になるように折り曲げ形成されている請求項１、２、３又は４記載の内視鏡用クリップ装置。
【請求項６】
上記一対の板バネ片が通された状態に係合する締め環が設けられていて、上記一対の板バネ片は、上記締め環が上記一対の板バネ片の後寄りの部分に位置していて無負荷の状態のときは開いた状態になる請求項１、２、３、４又は５記載の内視鏡用クリップ装置。
【請求項７】
上記クリップが上記シースの先端内に収納された状態においては、上記締め環が上記クリップの後端付近に位置していて、上記一対の板バネ片が上記シースの先端内で弾性変形して窄まった状態になる請求項６記載の内視鏡用クリップ装置。
【請求項８】
上記締め環が上記クリップの後寄りの位置から中間部分の位置に移動することによって、上記クリップが上記締め環によって強制的に閉じた状態にされる請求項６又は７記載の内視鏡用クリップ装置。
【請求項９】
上記各板バネ片の先寄りの部分は、上記締め環内に入らないように上記中間部分より幅広に形成されている請求項６、７又は８記載の内視鏡用クリップ装置。
【請求項１０】
上記締め環の内面の断面形状が矩形状に形成されている請求項６、７、８又は９記載の内視鏡用クリップ装置。
【請求項１１】
上記締め環の外面が、先側へ次第に径が小さくなるテーパ状に形成されている請求項６、７、８、９又は１０記載の内視鏡用クリップ装置。
【請求項１２】
上記シースの最先端部分に筒状の先端チップが取り付けられていて、上記先端チップは内径が先細りのテーパ筒状に形成されて、その最先端部分の内径が上記締め環の後端外径より小さく形成されると共に、上記締め環が後方から押し込まれたときそれによって径が押し広げられる状態に弾性変形するように形成されている請求項１１記載の内視鏡用クリップ装置。
【請求項１３】
上記先端チップの先寄りの部分が、軸線と平行方向に複数のスリットで分断された形状に形成されている請求項１２記載の内視鏡用クリップ装置。
【発明の詳細な説明】
【技術分野】
【０００１】
この発明は、生体内等において止血やマーキング等を行うために内視鏡の処置具挿通チャンネルに通して使用される内視鏡用クリップ装置に関する。
【背景技術】
【０００２】
管腔臓器内等において止血やマーキング等を行うためのクリッピング処置が、クリップ装置を内視鏡の処置具挿通チャンネルに通して行われているが、クリッピング処置を一回行う毎にクリップ装置を内視鏡の処置具挿通チャンネルから引き出してクリップを装填し直すのでは操作があまりに煩雑になってしまう。
【０００３】
そこで、内視鏡の処置具挿通チャンネルに挿脱されるシースの先端内に複数のクリップを各々窄まった状態に直列に配置し、シース内に軸線方向に進退自在に配置された操作ワイヤで複数のクリップをシースの先端から順次押し出して、各クリップを一旦開いた後に閉じることができるように構成された内視鏡用クリップ装置が案出されている（例えば、特許文献１）。
【特許文献１】特開２００２−３３０９７２
【発明の開示】
【発明が解決しようとする課題】
【０００４】
しかし、特許文献１に記載されているような従来の内視鏡用クリップ装置においては、シースの先端内に配置される複数のクリップが操作ワイヤの先端と個別に結紮ワイヤ等で連結されているので、後方に位置するクリップになればなるほど多くの結紮ワイヤと干渉してしまう配置状態になり、構造的に雑然としたものになって円滑に動作しない場合が少なくなかった。
【０００５】
そこで本発明は、シースの先端内に複数のクリップを整然かつ簡潔に配置することができて、連続的なクリッピング処置を円滑な動作で行うことができる内視鏡用クリップ装置を提供することを目的とする。
【課題を解決するための手段】
【０００６】
上記の目的を達成するため、本発明の内視鏡用クリップ装置は、内視鏡の処置具挿通チャンネルに挿脱されるシースの先端内に複数のクリップが各々窄まった状態で直列に配置され、シース内に軸線方向に進退自在に配置された操作ワイヤにより複数のクリップをシースの先端から順次押し出して、各クリップを一旦開いた後に閉じることができるように構成された内視鏡用クリップ装置において、各クリップを開閉方向に向かい合わせに配置された一対の板バネ片により形成して、各板バネ片の後端部には外方に向けて折れ曲がった連結爪を形成すると共に、各板バネ片の先端近傍部分には、クリップが窄まった状態のときその前側に隣接して位置するクリップの連結爪が差し込まれる状態に係止されてクリップが広がると連結爪に対する係合が外れる係合孔を形成し、複数のクリップを連結爪と係合孔とにより直接連結したものである。
【０００７】
なお、連結爪が、シースの先端内において係合孔を突き抜けない長さに形成されていると動作が滑らかになり、各板バネ片の最先端部分には内方に向けて折り曲げられたクリップ爪が形成されていて、クリップ爪に、そのクリップがシース内で窄まっている状態のときにその前側に隣接して位置するクリップとの干渉を避けるための切り欠きが形成されていてもよい。
【０００８】
その場合、クリップが閉じた状態のときに一対の板バネ片の最先端部分に形成されているクリップ爪どうしがぶつかり合わないように、一対の板バネ片のクリップ爪の折り曲げ位置に差が設けられていてもよい。
【０００９】
また、各板バネ片は、後寄りの部分がシースの軸線と平行に向き、中間部分は無負荷状態において前方に向かって開いた状態になり、先寄りの部分は無負荷状態において中間部分よりさらに大きな角度で開いた状態になるように折り曲げ形成されていてもよい。
【００１０】
そして、一対の板バネ片が通された状態に係合する締め環が設けられていて、一対の板バネ片は、締め環が一対の板バネ片の後寄りの部分に位置していて無負荷の状態のときは開いた状態になるとよい。
【００１１】
その場合、クリップがシースの先端内に収納された状態においては、締め環がクリップの後端付近に位置していて、一対の板バネ片がシースの先端内で弾性変形して窄まった状態になり、締め環がクリップの後寄りの位置から中間部分の位置に移動することによって、クリップが締め環によって強制的に閉じた状態にされるようにしてもよい。
【００１２】
また、各板バネ片の先寄りの部分は、締め環内に入らないように中間部分より幅広に形成されていてもよく、締め環の内面の断面形状が矩形状に形成されていてもよい。
また、締め環の外面が、先側へ次第に径が小さくなるテーパ状に形成されてもよく、シースの最先端部分に筒状の先端チップが取り付けられていて、先端チップは内径が先細りのテーパ筒状に形成されて、その最先端部分の内径が締め環の後端外径より小さく形成されると共に、締め環が後方から押し込まれたときそれによって径が押し広げられる状態に弾性変形するように形成されていてもよい。
【００１３】
その場合に、先端チップの先寄りの部分が、軸線と平行方向に複数のスリットで分断された形状に形成されていてもよい。
【発明の効果】
【００１４】
本発明によれば、シースの先端内において複数のクリップが直列に直接連結されて、連結のための別部材を全く必要としないので、シースの先端内に複数のクリップを整然かつ簡潔に配置することができて、連続的なクリッピング処置を円滑な動作で行うことができる。
【発明を実施するための最良の形態】
【００１５】
内視鏡の処置具挿通チャンネルに挿脱されるシースの先端内に複数のクリップが各々窄まった状態で直列に配置され、シース内に軸線方向に進退自在に配置された操作ワイヤにより複数のクリップをシースの先端から順次押し出して、各クリップを一旦開いた後に閉じることができるように構成された内視鏡用クリップ装置において、各クリップを開閉方向に向かい合わせに配置された一対の板バネ片により形成して、各板バネ片の後端部には外方に向けて折れ曲がった連結爪を形成すると共に、各板バネ片の先端近傍部分には、クリップが窄まった状態のときその前側に隣接して位置するクリップの連結爪が差し込まれる状態に係止されてクリップが広がると連結爪に対する係合が外れる係合孔を形成し、複数のクリップを連結爪と係合孔とにより直接連結する。
【実施例】
【００１６】
図面を参照して本発明の実施例を説明する。
図１は内視鏡用クリップ装置の先端付近の側面断面図、図２は平面断面図であり、１は、図示されていない内視鏡の処置具挿通チャンネルに挿脱される可撓性のシースである。シース１は、例えばステンレス鋼線を一定の径で密着巻きしたコイルパイプにより形成されており、その直径は２〜３ｍｍ程度、長さは１〜２ｍ程度である。
【００１７】
シース１内には、基端側から軸線方向に進退操作自在な操作ワイヤ２が挿通配置されており、シース１の図示されていない基端側に連結された操作部からの操作により操作ワイヤ２が進退操作される。
【００１８】
そのようなシース１の先端部分内には、複数の（この実施例では３個の）クリップ３（３Ａ，３Ｂ，３Ｃ）が各々窄まった状態で直列に配置されており、操作ワイヤ２により複数のクリップ３をシース１の先端から順次押し出して、クリップ３を一旦開いた後に閉じることができるように構成されている。
【００１９】
操作ワイヤ２の先端には、最後端のクリップ３Ｃと係脱可能に連結された連結部材５が連結パイプ６を介して固定的に連結されている。また、シース１の最先端部分には金属製又はプラスチック製の筒状の先端チップ７が固定的に取り付けられている。
【００２０】
各クリップ３は、開閉方向に向かい合わせに配置された例えばバネ用ステンレス鋼板材等からなる一対の板バネ片３０により形成されていて、各一対の板バネ片３０は、シース１外においてクリップ３を強制的に閉じた状態にするための締め環４に通された状態に係合している。
【００２１】
図３は、外力が作用していない無負荷状態の一対の板バネ片３０を示しており、各板バネ片３０は、後寄りの部分３１がシース１の軸線と平行方向に向き、中間部分３２は前方に向かって開いた状態になり、先寄りの部分は３３は中間部分３２よりさらに大きな角度で開いた状態になるように、各部３１，３２，３３の境界部分で折り曲げられて形成されている。
【００２２】
そして、板バネ片３０の後寄りの部分３１と中間部分３２とは締め環４内を通過できるように細幅に形成され、先寄りの部分３３は、中間部分３２との境界部付近を除いて締め環４内に嵌まり込むことができないように幅広に形成されている。
【００２３】
また、各板バネ片３０の後端部には外方に向けて折れ曲がった連結爪３４が形成されており、この実施例においては斜め後方に４５°程度の角度に曲げられて細幅に形成されている。そして、各板バネ片３０の先端近傍部分には、前側に隣接して位置する板バネ片３０の連結爪３４が差し込み係合される係合孔３７が穿設されている。
【００２４】
各板バネ片３０の最先端部分には、クリッピング時に生体組織に食いつかせるためのクリップ爪３５が内方に向けて折り曲げ形成されている。ただし、クリップ３が閉じた時に一対の板バネ片３０のクリップ爪３５どうしがぶつかり合わないように、一対の板バネ片３０ではクリップ爪３５の折り曲げ位置を僅かにずらしてある。
【００２５】
また、各クリップ爪３５には、その板バネ片３０がシース１内で窄まっている状態のときにその前側に隣接して位置する板バネ片３０の後寄りの部分３１と干渉するのを避けるための切り欠き３６が形成されており、それによってクリップ爪３５は門状の形状をしている。
【００２６】
図４は締め環４を示しており、締め環４は、外面が円形の断面形状で先側に次第に径が小さくなるテーパ状に形成され、内面４ａはそこに通される一対の板バネ片３０の断面形状に合わせて矩形状の断面形状に形成されている。
【００２７】
図５はクリップ３の後寄りの部分３１が締め環４内に通された状態を示しており、クリップ３は一対の板バネ片３０の後寄りの部分３１どうしが締め環４内でピッタリと対向する状態になり、板バネ片３０がシース１内に収納されていない状態では、板バネ片３０に外力が作用しないのでクリップ３が大きく開いた状態になる。
【００２８】
そして、図６に示されるように、締め環４をクリップ３の後寄りの部分３１から中間部分３２側にずらすとクリップ３が次第に閉じた状態になって、締め環４が中間部分３２と先寄りの部分３３との境界位置まで達すると各板バネ片３０の先寄りの部分３３が締め環４で強制的に押さえつけられた状態になり、一対の板バネ片３０のクリップ爪３５どうしが交差する状態までクリップ３がきつく閉じられる。
【００２９】
図７は、最先端のクリップ３Ａと２番目のクリップ３Ｂとが連結された状態を示している。
各クリップ３はシース１内に収納されることによって窄まった状態に弾性変形し、最先端のクリップ３Ａの後端の連結爪３４が２番目のクリップ３Ｂの係合孔３７内に差し込まれることにより、最先端のクリップ３Ａと２番目のクリップ３Ｂとが、シース１の軸線方向に一緒に移動する状態に連結される。
【００３０】
２番目のクリップ３Ｂのクリップ爪３５に切り欠き３６が形成されていることにより、閉じた状態の２番目のクリップ３Ｂのクリップ爪３５が最先端のクリップ３Ａと干渉しない。また、最先端のクリップ３Ａの連結爪３４は、２番目のクリップ３Ｂの係合孔３７から外側に突き抜けない長さに形成されており、その結果、シース１の内面に引っ掛からずにスムーズに移動することができる。
【００３１】
そして、２番目のクリップ３Ｂが開いた状態になると、２番目のクリップ３Ｂの係合孔３７が最先端のクリップ３Ａの連結爪３４から外れて、最先端のクリップ３Ａと２番目のクリップ３Ｂとの連結が解除された状態になる。なお、図１に示される、２番目のクリップ３Ｂと最後端のクリップ３Ｃとの連結部分、及び最後端のクリップ３Ｃと連結部材５との連結部分も同様の構成になっていて、複数のクリップ３０が各々の連結爪３４と係合孔３７とにより直列に直接連結されている。
【００３２】
シース１の最先端部分に取り付けられた筒状の先端チップ７は、図１に示されるように、内径が先細りのテーパ筒状に形成されて、その最先端部分の内径が締め環４の後端外径より小さく形成されている。
【００３３】
また、図８に単体で示されるように、締め環４が後方から押し込まれたときそれによって径が押し広げられる状態に弾性変形するよう、先端チップ７の先寄りの部分は軸線と平行方向に複数のスリット７ｂで分断された形状に形成されている。なお、この実施例ではスリット７ｂが１２０°間隔に３個設けられているが、９０°間隔に４個或いはそれ以上の個数設けてもよい。
【００３４】
このように構成された内視鏡用クリップ装置が使用される際には、図１に示されるように、各クリップ３がシース１内で窄まって連結された状態で、図示されていない内視鏡の処置具挿通チャンネルに通される。
【００３５】
体内でシース１の先端を目標とする患部に向けたら、操作ワイヤ２を基端側から押し込む操作をすることにより、図９に示されるように、一連に繋がっている３個のクリップ３Ａ，３Ｂ，３Ｃがシース１内で前方に移動して最先端のクリップ３Ａの先端が先端チップ７内を通過する。
【００３６】
そして、さらに操作ワイヤ２を押し込み操作することにより、図１０に示されるように、最先端のクリップ３Ａの中間部分３２と先寄りの部分３３が先端チップ７から前方に押し出され、最先端のクリップ３Ａが最大限に開いた状態になる。
【００３７】
このとき、締め環４は先端チップ７に止まっているが、さらに大きな力で操作ワイヤ２を押し込み操作すると、締め環４が先端チップ７を押し広げる状態に弾性変形させ、図１１に示されるように締め環４が先端チップ７の先端から飛び出す。
【００３８】
すると、締め環４の後端部の外径が先端チップ７の先端内径より大きいため、締め環４は逆行して先端チップ７内に戻ることができなくなり、大きく開いた最先端のクリップ３Ａをこの状態で目標患部に押しつけることができる。
【００３９】
そこで、図１２に示されるように、操作ワイヤ２を基端側に牽引操作すると、締め環４の後端が先端チップ７の先端面に当接した状態で、最先端のクリップ３Ａの一対の板バネ片３０がシース１内に引き込まれ、それ伴って締め環４が相対的にクリップ３の先寄りの位置に移動することになって、最先端のクリップ３Ａが閉じた状態になる。
【００４０】
そして、図１３に示されるように、締め環４が最先端のクリップ３Ａの中間部分３２と先寄りの部分３３との境界部分に係合した状態になると、最先端のクリップ３Ａがきつく閉じきった状態になり、操作ワイヤ２もそれ以上牽引操作することができなくなる。
【００４１】
そのようになったら、図１４に示されるように、操作ワイヤ２を再び先端側に押し込み操作し、図１５に示されるように、２番目のクリップ３Ｂを先端チップ７の先端から押し出せば、２番目のクリップ３Ｂが開くことにより最先端のクリップ３Ａと２番目のクリップ３Ｂとの連結が外れて、最先端のクリップ３Ａが目標患部をクリッピングした状態で体内に留置され、同時に、２番目のクリップ３Ｂによって次の目標患部に対するクリッピング操作を行うことができる状態になる。
【００４２】
そして、２番目のクリップ３Ｂによるクリッピング操作が終わったら、同様にして最後端のクリップ３Ｃによるクリッピング操作を連続して行うことができる。
【図面の簡単な説明】
【００４３】
【図１】本発明の実施例の内視鏡用クリップ装置の先端付近の側面断面図である。
【図２】本発明の実施例の内視鏡用クリップ装置の先端付近の平面断面図である。
【図３】本発明の実施例の内視鏡用クリップ装置の一対の板バネ片の斜視図である。
【図４】本発明の実施例の内視鏡用クリップ装置の締め環の斜視図である。
【図５】本発明の実施例の内視鏡用クリップ装置のクリップが開いた状態の側面断面図である。
【図６】本発明の実施例の内視鏡用クリップ装置のクリップが閉じた状態の側面断面図である。
【図７】本発明の実施例の内視鏡用クリップ装置のクリップの連結状態を示す側面断面図である。
【図８】本発明の実施例の内視鏡用クリップ装置の先端チップの斜視図である。
【図９】本発明の実施例の内視鏡用クリップ装置の使用時の動作を示す側面断面図である。
【図１０】本発明の実施例の内視鏡用クリップ装置の使用時の動作を示す側面断面図である。
【図１１】本発明の実施例の内視鏡用クリップ装置の使用時の動作を示す側面断面図である。
【図１２】本発明の実施例の内視鏡用クリップ装置の使用時の動作を示す側面断面図である。
【図１３】本発明の実施例の内視鏡用クリップ装置の使用時の動作を示す側面断面図である。
【図１４】本発明の実施例の内視鏡用クリップ装置の使用時の動作を示す側面断面図である。
【図１５】本発明の実施例の内視鏡用クリップ装置の使用時の動作を示す側面断面図である。
【符号の説明】
【００４４】
１  シース
２  操作ワイヤ
３（３Ａ，３Ｃ，３Ｄ）  クリップ
４  締め環
５  連結部材
７  先端チップ
７ｂ  スリット
３０  板バネ片
３１  後寄りの部分
３２  中間部分
３３  先寄りの部分
３４  連結爪
３５  クリップ爪
３７  係合孔
【図１】
2006087537.tif 000003
【図２】
2006087537.tif 000004
【図３】
2006087537.tif 000005
【図４】
2006087537.tif 000006
【図５】
2006087537.tif 000007
【図６】
2006087537.tif 000008
【図７】
2006087537.tif 000009
【図８】
2006087537.tif 000010
【図９】
2006087537.tif 000011
【図１０】
2006087537.tif 000012
【図１１】
2006087537.tif 000013
【図１２】
2006087537.tif 000014
【図１３】
2006087537.tif 000015
【図１４】
2006087537.tif 000016
【図１５】
2006087537.tif 000017